(57)【要約】【課題】  本発明は、バストの形態を矯正でき、違和感、不快感を抑性できるカップ付き衣類を提供する。【解決手段】  装着時、バージスラインに相当するバスト周縁を保持する保持リブ部２を備える。バストを受入れるカップ１は、湾曲凹肌面１Ｂを有し、軟質ポリウレタンフォームでなる。カップ１は、下端湾曲縁１３に間隔を隔て、下端湾曲縁１３に沿って延在する基準湾曲線Ｌを有し、基準湾曲線Ｌより下端湾曲縁１３側を保形リブ部２とする。保形リブ部２は、基準湾曲線Ｌに沿って湾曲凹肌面１Ｂ側に屈曲され、ブラジャー本体Ｙの布肌面Ｙ１から離間する方向に延出される。【選択図】  図７
2018044278.tif 000002
【特許請求の範囲】
【請求項１】
布肌面を有する衣類本体と、
湾曲凸表面及び湾曲凹肌面を有し、クッション材でなるカップと、を備え、
前記湾曲凹肌面側からバストを前記カップ内に受入れるカップ付き衣類であって、
装着時、バストを保持する保形リブ部を備え、
前記カップは、
当該カップの下端湾曲縁に間隔を隔てて設定され、前記下端湾曲縁に沿って延在する基準湾曲線を有し、
前記カップの前記基準湾曲線より前記下端湾曲縁側を、前記保形リブ部となし、
前記保形リブ部の表面を前記布肌面に対峙し、前記基準湾曲線に沿って前記衣類本体に取付けられる
ことを特徴とするカップ付き衣類。
【請求項２】
保形布を備え、
前記保形布は、
前記保形リブ部の表面及び裏面を覆い、前記基準湾曲線に沿って延在され、
前記湾曲凹肌面から前記基準湾曲線に沿って前記カップに取付けられ、及び前記衣類本体に取付けられる
ことを特徴とする請求項１に記載のカップ付き衣類。
【請求項３】
前記衣類本体は、
当該衣類本体の布縁側を前記布肌面に折返してなる折返し布部を有し、
前記折返し布部は、
前記保形リブ部の表面及び前記保形布の間に配置され、前記保形リブ部の表面から前記保形リブ部に取付けられ、
前記保形布は、
前記折返し部に取付けられる
ことを特徴とする請求項２に記載のカップ付き衣類。
【請求項４】
装着時、身体の肌に接触する布肌面を有する衣類本体と、
湾曲凸表面及び湾曲凹肌面を有し、クッション材でなるカップと、を備え、
前記湾曲凹肌面からバストを前記カップ内に受入れるカップ付き衣類であって、
装着時、バストを保持する保形リブ部及び保形布を備え、
前記カップは、
当該カップの下端湾曲縁に間隔を隔てて設定され、前記下端湾曲縁に沿って延在される基準湾曲線を有し、
前記カップの前記基準湾曲線より前記下端湾曲縁側を、前記保形リブ部となし、
前記保形布は、
前記保形リブ部の表面及び裏面を覆い、前記基準湾曲線に沿って延在され、
前記衣類本体は、
当該衣類本体の布縁側を前記基準湾曲線に沿って前記布肌面に折返してなる折返し布部を有し、
前記折返し布部は、
前記保形リブ部の表面及び前記保形布の間に配置され、
前記基準湾曲線に沿って保形リブ部の表面から前記保形リブ部に取付けられ、及び前記基準湾曲線に沿って前記保形布に取付けられる
ことを特徴とするカップ付き衣類。
【請求項５】
前記保形リブ部は、
前記衣類本体の布肌面から離間する方向に延在される
ことを特徴とする請求項１乃至請求項４の何れかに記載のカップ付き衣類。
【請求項６】
前記保形リブ部は、
前記基準湾曲線に沿って前記湾曲凹肌面側に屈曲される
ことを特徴とする請求項１乃至請求項４の何れかに記載のカップ付き衣類。
【請求項７】
前記保形リブ部は、
前記基準湾曲線に沿って前記湾曲凹肌面側に屈曲され、前記衣類本体の布肌面から離間する方向に延在される
ことを特徴とする請求項１乃至請求項４の何れかに記載のカップ付き衣類。
【発明の詳細な説明】
【技術分野】
【０００１】
本発明は、ノンワイヤであって、バストの形態を矯正（保形）するカップ付き衣類に関する。
【背景技術】
【０００２】
カップ付き衣類として、特許文献１は、ブラジャーを開示する。特許文献１のブラジャーは、カップ部下縁裏面に沿ってワイヤチャンネルを装着し、及びワイヤチャンネルテープ内にワイヤを収納する。特許文献１では、ワイヤ等でバスト周縁を保持して、バストの形態を矯正する。
【先行技術文献】
【特許文献】
【０００３】
【特許文献１】許開２００６−１７６９２８号公報
【発明の概要】
【発明が解決しようとする課題】
【０００４】
しかしながら、特許文献１では、装着時に、ワイヤが身体（アンダーバスト等）を圧迫して、違和感、不快感を与える。
【０００５】
本発明は、装着時、バストの形態を矯正でき、違和感、不快感を抑制できるカップ付き衣類を提供することにある。
【課題を解決するための手段】
【０００６】
本発明に係る請求項１は、布肌面を有する衣類本体と、湾曲凸表面及び湾曲凹肌面を有し、クッション材でなるカップと、を備え、前記湾曲凹肌面からバストを前記カップ内に受入れるカップ付き衣類であって、装着時、バージスラインに相当するバスト周縁を保持する保形リブ部を備え、前記カップは、下端湾曲縁に間隔を隔てて設定され、前記下端湾曲縁に沿って延在する基準湾曲線を有し、前記基準湾曲線より前記下端湾曲縁側を、前記保形リブ部となし、前記保形リブ部の表面を前記布肌面に対峙し、前記基準湾曲線に沿って前記衣類本体に取付けられ、前記保形リブ部は、前記基準湾曲線に沿って前記湾曲凹肌面側に屈曲され、前記衣類本体の布肌面から離間する方向に延在されることを特徴とするカップ付き衣類である。
【０００７】
本発明に係る請求項２は、保形布を備え、前記保形布は、前記保形リブ部の表面及び裏面を覆い、前記基準湾曲線に沿って延在され、前記湾曲凹肌面から前記基準湾曲線に沿って前記カップに取付けられ、及び前記保形リブ部に取付けられることを特徴とする請求項１に記載のカップ付き衣類である。
【０００８】
本発明に係る請求項３は、前記衣類本体は、布縁側を前記基準湾曲線に沿って前記布肌面に折返してなる折返し布部を有し、前記折返し布部は、前記保形リブ部の表面及び前記保形布間に配置され、前記保形リブ部の表面から前記保形リブ部に取付けられ、前記保形布は、前記折返し布部に取付けられることを特徴とする請求項３に記載のカップ付き衣類である。
【０００９】
本発明に係る請求項４は、前記衣類本体は、布縁側を前記基準湾曲線に沿って前記布肌面に折返してなる折返し布部を有し、前記折返し布部は、前記保形リブ部の表面に配置され、前記保形リブ部の表面から前記保形リブ部に取付けられることを特徴とする請求項１に記載のカップ付き衣類である。
【発明の効果】
【００１０】
本発明に係る請求項１によれば、保形リブ部は、カップの一部で構成され、クッション材でなる。カップ付き衣類の装着時、各カップ内にバストを装入すると、バスト周縁に接触される保形リブ部は、基準湾曲線を支点（支線）として湾曲凹肌面に向け、又は衣類本体の布肌面に向けて旋回され、バスト周辺にフィットする。
各保形リブ部の表面は、バスト周縁に当接され、これにより、各保形リブ部は、バストのバージスラインに沿ってバスト周縁を保持し、バストの形態を矯正する。
また、保形リブ部は、カップの一部で構成され、クッション材でなるので、身体（例えば、アンダーバスト）を圧迫することを低減でき、違和感や不快感を抑性できる。
請求項１において、カップは、例えば、軟質ポリウレタンフォーム、ダブルラッセル生地、又は不織布等でなる。
【００１１】
本発明に係る請求項２によれば、保形布は、保形リブ部を覆い、基準湾曲線に沿ってカップに取付けられ、及び保形リブ部に取付けられるので、保形リブ部の屈曲状態を保持できる。
【００１２】
本発明に係る請求項３によれば、カップを、保形リブ部及び折返し布部にて衣類本体に取付けることができる。
保形リブ部を折返し布部に取付けることで、基準湾曲線を支点（支線）とする旋回を可能とし、及び保形布による保形リブ部の屈曲状態を保持しつつ、カップを衣類本体に取付けることができる。
【００１３】
本発明に係る請求項４によれば、カップを、保形リブ部及び折返し布部にて衣類本体に取付けることができる。
保形リブ部を折返し布部に取付けることで、基準湾曲線を支点（支線）とする旋回を可能としつつ、カップを衣類本体に取付けることができる。
【図面の簡単な説明】
【００１４】
【図１】カップ付き衣類であって、ブラジャーを示す表側平面図である。
【図２】カップ付き衣類であって、ブラジャーを示す肌側（裏側）平面図である。
【図３】図２のＣ−Ｃ矢視平面図である。
【図４】カップ付き衣類であって、ブラジャーを示す肌側（裏側）斜視拡大図である。
【図５】（ａ）はカップの表側平面図、（ｂ）はカップの肌側（裏側）平面図である。
【図６】図５（ａ）のＤ−Ｄ矢視断面拡大図である。
【図７】図１のＡ−Ａ矢視断面拡大図である。
【図８】図７の要部拡大図である。
【図９】図１のＢ−Ｂ矢視断面拡大図である。
【図１０】図９の要部拡大図である。
【図１１】カップ付き衣類であって、ブラジャーを装着した時の側面図である。
【図１２】カップ付き衣類であって、ブラジャーを装着した時の正面図である。
【図１３】図１２のＥ−Ｅ矢視一部断面拡大図である。
【発明を実施するための形態】
【００１５】
本発明に係るカップ付き衣類について、図１乃至図１３を参照して説明する。
【００１６】
図１乃至図１３において、カップ付き衣類Ｘは、例えば、ブラジャーでなる。
以下、カップ付き衣類Ｘとして、ブラジャー（以下、「ブラジャーＸ」という）を例にして説明する。
【００１７】
ブラジャーＸは、図１乃至図４に示すように、衣類本体Ｙ、左右一対のカップ１，１、左右の保形リブ部２，２、及び左右の保形布３，３を備える。
ブラジャーＸは、左右の肩掛け用ストラップ７，７を備える。
【００１８】
衣類本体Ｙは、ブラジャー本体（以下、「ブラジャー本体Ｙ」という）である。ブラジャー本体Ｙは、例えば、左右のバック布５，５、及び土台布６で構成される。
各バック布５，５は、土台布６の左右端縁に連続配置される。各バック布５，５は、土台布６に縫着される。
これにより、各バック布５，５，及び土台布６は、一体化され、ブラジャー本体Ｙを構成する。
ブラジャー本体１（各バック布５，５及び土台布６）は、身体の肌に接する布肌面Ｙ１を有する。
【００１９】
各カップ１，１は、図１乃至図１３に示すように、クッション材、例えば、軟質ポリウレタンフォーム（軟質発泡ポリウレタン）でなる。
各カップ１，１は、図５及び図６に示すように、例えば、表面布８、肌面布９（裏面布）及びカップ芯材１０で構成される。
表面布８、及び肌面布９は、伸縮性を有する生地、例えば、ニット生地、トリコット生地（ツーウェイ・トリコット生地）でなる。
カップ芯材１０は、クッション材、例えば、軟質ポリウレタンフォームでなる。
表面布８は、カップ芯材１０の表面を被覆し、肌面布９は、カップ芯材１０の肌面（裏面）を被覆する。
【００２０】
各カップ１，１は、図５及び図６に示すように、例えば、表面布８及び肌面布９間にカップ芯材１０（軟質ポリウレタンフォーム）を配置した積層体を成形して椀状に形成される。
これにより、各カップ１，１は、表面布８側に膨出され、湾曲凸表面１Ａ、及び湾曲凹肌面１Ｂを有する。
各カップ１，１は、例えば、上端湾曲縁１１、脇側縁１２及び下端湾曲縁１３を有し、上端湾曲縁１１は、脇側縁１２及び下端湾曲縁１３に連続される。脇側縁１２は、各湾曲端１１，１３間に位置して、各湾曲縁１１，１３に連続される。
上端湾曲縁１１、脇側縁１２及び下側湾曲縁１３は、各カップ１，１の周縁を形成する。
【００２１】
各カップ１，１は、図５及び図６に示すように、基礎湾曲線Ｌを有する。基礎湾曲線Ｌは、下端湾曲縁１３に間隔Ｔを隔てて湾曲凹肌面１Ｂに設定される。基礎湾曲線Ｌは、下端湾曲縁１３よりカップトップａ側（上端湾曲縁１１側）に設定される。
基礎湾曲線Ｌは、下端湾曲縁１３に沿って延在される。
各カップ１，１において、表面布８側には、図１、図３及び図６に示すように、装飾布３１（例えば、レース模様布）が配置される。装飾布３１は、表面布８側から各カップ１，１を覆い、下端湾曲縁１３側にて各カップ１，１に接着される。
装飾布３１は、図６に示すように、基準湾曲線Ｌ及び下端湾曲縁１３間において、湾曲凸表面１Ａから各カップ１，１に縫着（縫製）される。
【００２２】
各カップ１，１は、図５及び図６に示すように、基礎湾曲線Ｌより下端湾曲縁１３側を、保形リブ部２とする。
保形リブ部２，２は、各カップ１，１の一部で構成され、軟質ポリウレタンフォーム（軟質発泡ポリウレタン）でなる。
【００２３】
各カップ１，１は、保形リブ部２の表面２Ａをブラジャー本体１（各バック布５，５及び土台布６）の布肌面Ｙ１に対峙して、基礎湾曲線Ｌに沿ってブラジャー本体Ｙ（衣類本体）に取付けられる。
各カップ１，１は、図１乃至図４に示すように、ブラジャー本体Ｙ中央を境にして左右側に並設され、ブラジャー本体Ｙ（衣類本体）に固定される。
ブラジャー本体Ｙにおいて、土台布６は、各カップ１，１を連結する。各カップ１，１は、脇側縁１２をバック布５側に配置し、及び上端湾曲縁１１を相互に対向してブラジャー本体Ｙ（バック布５，５及び土台布６）に取付けられる。
各カップ１，１は、湾曲凹肌面１Ｂからバストを内部に受入れる。
【００２４】
各カップ１，１において、保形リブ部２は、装着時、バージスラインに相当するバスト周縁を保持する（図１１乃至図１３参照）。
各カップ１，１において、保形リブ部２は、図４、図７乃至図１０に示すように、基礎湾曲線Ｌに沿って湾曲凹肌面１Ｂ側（上端湾曲縁１１側、カップトップａ側）に屈曲され、ブラジャー本体Ｙ（衣類本体）の布肌面Ｙ１から離間する方向に延出される。
各保形リブ部２，２は、図８及び図１０に示すように、布肌面Ｙ１に角度θ（θ＝６０〜９０°）を隔てて、湾曲凹肌面１Ｂ側（上端湾曲縁１１側、カップトップａ側）に屈曲される。
【００２５】
各カップ１，１において、保形リブ部２は、図７乃至図１０に示すように、ブラジャー本体Ｙ（各バック布６，６及び土台５）に取付けられる。
図７乃至図１０において、ブラジャー本体Ｙは、各カップ１，１（各保形リブ部２，２）に対応する折返し布部１５，１５を有する。各折返し布部１５，１５は、ブラジャー本体Ｙ（各バック布５，５及び土台布６）の布縁Ｙ２側を、各カップ１，１の基準湾曲線Ｌに沿って布肌面Ｙ１に折返してなる。
各折返し布部１５，１５は、各カップ１，１において、保形リブ部２の表面２Ａに配置され、各カップ１，１の基礎湾曲線Ｌに沿って延在される。
各カップ１，１において、保形リブ部２は、基準湾曲線Ｌに沿って各折返し布部１５，１５に縫着され、ブラジャー本体１に取付けられる。
各折返し布部１５，１５は、各カップ１，１において、保形リブ部２の表面２Ａから保形リブ部２に取付けられる。
これにより、各カップ１，１は、保形リブ部２及び折返し布部１５を介在して、ブラジャー本体１に取付けられる。
【００２６】
各カップ１，１において、保形リブ部２及び折返し布部１５を縫着（縫製）することで、軟質ポリウレタンフォームでなる保形リブ部２の裏面２Ｂは、基準湾曲線Ｌに沿って、表面２Ａ側（折返し布部１５側）に凹まされる［図８及び図１０参照］。
これにより、各カップ１，１において、保形リブ部２は、基準湾曲線Ｌに沿って湾曲凹肌面１Ｂ側（上端湾曲縁１１側、カップトップａ側）に屈曲され、ブラジャー本体１（衣類本体）から離間する方向に延出される。
各カップ１，１において、保形リブ部２は、基準湾曲線Ｌを支点（支線）として、湾曲凹肌面１Ｂ（上端湾曲縁１１側、カップトップａ側）に向け、又はブラジャー本体Ｙ（衣類本体）の布肌面Ｙ１に向けて旋回自在となる。
【００２７】
各保形布３，３は、クッション性を有する生地、例えば、ストレッチ生地、トリコット生地（ツーウェー・トリコット生地）で形成される。
各保形布３，３は、図２乃至図４、及び図７乃至図１０に示すように、各カップ１，１において、保形リブ部２に配置される。各保形布３，３は、各保形リブ部２，２の表面２Ａ及び裏面２Ｂ及び折返し布部１５を覆い、基準湾曲線Ｌに沿って延在される。このとき、各カップ１，１において、折返し布部１５は、各保形リブ部２，２の表面２Ａ及び各保形布３間に配置される。
各保形布３，３において、基準湾曲線Ｌに沿う一方の布幅端３Ａは、各保形リブ部２，２の裏面２Ｂに配置され、基準湾曲線Ｌに沿う他方の布幅端３Ｂは、各保形リブ部２，２の表面２Ａに配置される。
【００２８】
各保形布３，３は、図７乃至図１０に示すように、各カップ１，１及びブラジャー本体１に取付けられる。各保形布３，３において、一方の布幅端３Ａ側は、基準湾曲線Ｌに沿って湾曲凹肌面１Ｂから各カップ１，１に取付けられる。各保形布３，３において、一方の布幅端３Ａ側は、基準湾曲線Ｌに沿って湾曲凹肌面１Ｂから各カップ１，１に縫着される。
各保形布３，３において、他方の布幅端３Ｂ側は、ブラジャー本体Ｙ１の折返し布部１５に取付けられる。
各保形リブ部２，２、各保形布３，３、及びブラジャー本体Ｙ（衣類本体）は、基準湾曲線Ｌに沿って、一方の布幅端３Ａ側、保形リブ部２、折返し布部１５、及び他方の布幅端３Ｂ側を縫着することで、各保形布３，３を各保形リブ部２，２に取付け、及び各保形布３，３をブラジャー本体Ｙ（折返し布部１５）に取付ける。
このとき、一方の布幅端３Ａ側は、湾曲凹肌面１Ｂから各カップ１，１に取付けられ、及び裏面２Ｂから各保形リブ部２，２に取付けられる。
各折り返布部１５，１５は、表面２Ａから各保形リブ部２，２に取付けられる。各保形布３，３において、他方の布幅端３Ｂ側は、各折り返布１５，１５に取付けられ、更に折り返し布部１５，１５を介在して各保形リブ部２，２に取付けられる。
これにより、各保形布３，３は、基準湾曲線Ｌを支点（支線）として、各保形リブ部２，２と共に、湾曲凹肌面１Ｂ側（上端湾曲縁１１側）に向け、又はブラジャー本体Ｙの布肌面Ｙ１に向けて旋回自在となる。
また、各保形布３，３は、各カップ１，１において、保形リブ部２の屈曲状態を保持する。
【００２９】
ブラジャーＸ（カップ付き衣類）において、保形リブ部２と保形布３は、装着時、バージスラインに相当するバスト周縁を保持し、及びバストの形態を矯正する保形部材Ｚ，Ｚを構成する。各保形部材Ｚ，Ｚは、装着時、バージスラインに相当するバスト周縁を保持し、保形リブ部２及び保形布３で構成される。
【００３０】
ブラジャーＸにおいて、各紐掛け用ストラップ７，７は、図１乃至４に示すように、各カップ１，１の上端湾曲縁１１側に取付けられ、更に各バック布６，６（ブラジャー本体Ｙ）に取付けられる。
【００３１】
図１１乃至図１３において、ブラジャーＸ（カップ付き衣類）は、各肩掛け用ストラップ７，７を女性の両肩に掛け、湾曲凹肌面１Ｂ側からバストを各カップ１，１内に装入する。
このとき、各カップ１，１において、各保形リブ部２，２及び保形布３，３をバストのバージスラインに相当するバスト周縁に位置する。
各保形リブ部２，２は、バスト周縁との接触により、基準湾曲線Ｌを支点（支線）として、各カップ１，１の上端湾曲縁１１側に向け、又はブラジャー本体Ｙの布肌面Ｙ１に向けて旋回され、バスト周辺にフィットする。
各保形リブ部２，２の表面２Ａは、図１３に示すように、各保形布３，３を介在して、バスト周縁に当接され、これにより、各保形リブ部２，２及び保形布３，３は、バストのバージスラインに沿ってバスト周縁を保持し、バストの形態を矯正する。
また、各保形リブ部２，２は、軟質ポリウレタンフォームでなり、各保形布３，３は、クッション性を有することから、女性の身体（例えば、アンダーバスト）を圧迫することを低減し、違和感や不快感を抑性する。
【００３２】
続いて、ブラジャー本体Ｙにおいて、各バック布５，５を背中にまわして、各バック布５，５をフックにて連結する。
これにより、ブラジャーＸを女性の身体に装着する。
ブラジャーＸにおいて、各カップ１，１の湾曲凹曲面１Ｂは、バストに密着され、ブラジャー本体Ｙ（各バック布５，５及び土台布６）の布肌面Ｙ１は、女性の肌に密着される。
【００３３】
ブラジャーＸの装着時、女性が運動すると、バストも追従して運動（移動又は揺れる）する。このとき、各保形リブ部２，２及び各保形布３，３は、バストの運動に追従して、基準湾曲線Ｌを支点（支線）として旋回して、バスト周辺を保持する。
これにより、バストの形態を崩すことなく、バストを保持できる。
【００３４】
このように、ブラジャーＸの装着時、各カップ１，１において、保形リブ部２（保形部材Ｚ）は、ブラジャー本体Ｙの布肌面Ｙ１に角度θを隔てて湾曲凹曲線１Ｂ（上端湾曲縁１１側、カップトップａ側）に屈曲され、バストのバージスラインに相当するバスト周縁を保持する。
【００３５】
本発明に係るカップ付き衣類は、ブラジャーの他に、ボディースーツ、ビスチエ、キャミソール、スリップ等であっても良い。
【００３６】
本発明に係るカップ付き衣類では、保形布３を備えず、各保形リブ部２，２だけで各保形部材Ｚ，Ｚを構成できる。各保形部材Ｚ，Ｚは、各保形リブ部２，２にて直接、バージスラインに相当するバスト周縁を保持する。
【００３７】
本発明に係るカップ付き衣類Ｘでは、各保形リブ部２，２を湾曲凹肌面１Ｂ側に屈曲する方法として、基準湾曲線Ｌに沿って、各保形リブ部２，２及び各折返し布部１５，１５を縫着することで、各保形リブ部２，２を屈曲しているが、これに限定されない。例えば、各カップ１，１の成形時に、各保形リブ部２，２を基準湾曲線Ｌに沿って屈曲成形して形成できる。
【００３８】
本発明に係るカップ付き衣類Ｘでは、各カップ１，１をダブルラッセル生地、不織布等のクッション材で形成でき、図１乃至１０で説明したと同様に、基準湾曲線Ｌより下端湾曲縁１３側を保形リブ部２とする。
【産業上の利用可能性】
【００３９】
本発明は、バストを矯正するのに最適である。
【符号の説明】
【００４０】
Ｘ  カップ付き衣類（ブラジャー）
Ｙ  ブラジャー本体（衣類本体）
Ｙ１  布肌面
Ｌ  基準湾曲線
１  カップ
１Ａ  湾曲凸表面
１Ｂ  湾曲凹肌面
２  保形リブ部
２Ａ  表面
２Ｂ  裏面
３  保形布
１３  下端湾曲縁
１５  折り返布部
【図１】
2018044278.tif 000003
【図２】
2018044278.tif 000004
【図３】
2018044278.tif 000005
【図４】
2018044278.tif 000006
【図５】
2018044278.tif 000007
【図６】
2018044278.tif 000008
【図７】
2018044278.tif 000009
【図８】
2018044278.tif 000010
【図９】
2018044278.tif 000011
【図１０】
2018044278.tif 000012
【図１１】
2018044278.tif 000013
【図１２】
2018044278.tif 000014
【図１３】
2018044278.tif 000015